(57)【要約】【課題】  ユーザが焦点を合わせている被写体の輪郭を、ユーザが好適に確認することが可能な表示装置を提供することを目的とする。【解決手段】  本発明に係る表示装置は、複数の領域を有する入力画像と、被写体と入力画像を取得した撮像装置２との距離を入力画像の複数の領域ごとに示す距離マップと、撮像装置２が合焦している被写体と撮像装置２との距離を示す焦点距離と、を取得する入力処理部１０１と、距離情報と焦点距離とに基づいて、入力画像のうち被写体と撮像装置２との距離が焦点距離から所定の範囲に含まれる合焦領域を特定する領域特定部１０２と、入力画像に基づいて、画像を表示する表示手段と、入力画像のうち合焦領域でない非合焦領域が、合焦領域の上限の表示輝度よりも低い目標輝度以下の表示輝度で表示されるように表示手段を制御する制御部１００と、を備えることを特徴とする。【選択図】  図４
2018011152.tif 000002
【特許請求の範囲】
【請求項１】
複数の領域を有する入力画像と、被写体と前記入力画像を取得した撮像装置との距離を前記入力画像の前記複数の領域ごとに示す距離情報と、前記撮像装置が合焦している被写体と前記撮像装置との距離を示す焦点距離と、を取得する取得手段と、
前記距離情報と前記焦点距離とに基づいて、前記入力画像のうち前記被写体と前記撮像装置との距離が前記焦点距離から所定の範囲に含まれる合焦領域を特定する特定手段と、
前記入力画像に基づいて、画像を表示する表示手段と、
前記入力画像のうち前記合焦領域でない非合焦領域が、前記合焦領域の上限の表示輝度よりも低い目標輝度以下の表示輝度で表示されるように前記表示手段を制御する制御手段と、
を備えることを特徴とする表示装置。
【請求項２】
前記制御手段は、前記入力画像の前記非合焦領域において、前記目標輝度に対応する所定の階調値より大きい階調値を有する画素の階調値を、前記所定の階調値以下にする補正を施した表示画像に基づく画像が表示されるように、前記表示手段を制御することを特徴とする請求項１に記載の表示装置。
【請求項３】
前記表示手段は、
個別に発光を制御可能な複数の発光ブロックを備える発光手段と、
前記発光手段の光を透過して画像を表示する表示パネルと、
を備え、
前記制御手段は、各発光ブロックに対応する前記入力画像の明るさに応じた発光量で各発光ブロックの発光を制御し、
前記制御手段は、前記入力画像の前記非合焦領域に対応する発光ブロックを、前記目標輝度に対応する所定の発光量以下の発光量で発光するように制御することを特徴とする請求項１に記載の表示装置。
【請求項４】
前記目標輝度を設定する設定手段を備え、
前記設定手段は、前記入力画像の前記複数の領域のうち前記合焦領域までの距離が第１距離以下であり、かつ前記合焦領域でない領域の前記目標輝度を第１輝度と設定し、前記合焦領域までの距離が前記第１距離よりも大きい領域の前記目標輝度を前記第１輝度よりも高い第２輝度と設定することを特徴とする請求項１乃至請求項３のいずれか１項に記載の表示装置。
【請求項５】
前記制御手段は、所定の指示を取得した場合に、前記非合焦領域が前記目標輝度以下で表示されるように前記表示手段を制御することを特徴とする請求項１乃至請求項４のいずれか１項に記載の表示装置。
【請求項６】
前記表示装置は、前記入力画像を取得する撮像装置と接続可能であり、
前記撮像装置から前記所定の指示を取得することを特徴とする請求項５に記載の表示装置。
【請求項７】
前記取得手段は、前記撮像装置から、前記撮像装置が合焦している特定の被写体を含む領域を示す位置情報を取得し、
前記特定手段は、前記位置情報と、前記距離情報と、前記焦点距離とに基づいて、前記入力画像のうち前記特定の被写体を含む領域を前記合焦領域と特定することを特徴とする請求項１乃至請求項６のいずれか１項に記載の表示装置。
【請求項８】
入力画像と、前記入力画像のうち前記入力画像を取得した撮像装置が合焦している特定の被写体の位置を示す情報と、を取得する取得手段と、
前記位置情報に基づいて、前記入力画像のうち前記特定の被写体が含まれる合焦領域を特定する特定手段と、
前記入力画像に基づいて、画像を表示する表示手段と、
前記入力画像のうち前記合焦領域でない非合焦領域が、前記合焦領域の上限の表示輝度よりも低い目標輝度以下の表示輝度で表示されるように前記表示手段を制御する制御手段と、
を備えることを特徴とする表示装置。
【請求項９】
入力画像に基づいて、画像を表示する表示手段を備える表示装置の制御方法であって、
複数の領域を有する前記入力画像と、被写体と前記入力画像を取得した撮像装置との距離を前記入力画像の前記複数の領域ごとに示す距離情報と、前記撮像装置が合焦している被写体と前記撮像装置との距離を示す焦点距離と、を取得する取得工程と、
前記距離情報と前記焦点距離とに基づいて、前記入力画像のうち前記被写体と前記撮像装置との距離が前記焦点距離から所定の範囲に含まれる合焦領域を特定する特定工程と、
前記入力画像のうち前記合焦領域でない非合焦領域が、前記合焦領域の上限の表示輝度よりも低い目標輝度以下の表示輝度で表示されるように前記表示手段を制御する制御工程と、
を備えることを特徴とする表示装置の制御方法。
【請求項１０】
前記制御工程は、前記入力画像の非合焦領域において、前記目標輝度に対応する所定の階調値より大きい階調値を有する画素の階調値を、前記所定の階調値以下にする補正を施した表示画像に基づく画像が表示されるように、前記表示手段を制御することを特徴とする請求項９に記載の表示装置の制御方法。
【請求項１１】
前記表示手段は、
個別に発光を制御可能な複数の発光ブロックを備える発光手段と、
前記発光手段の光を透過して画像を表示する表示パネルと、
を備え、
前記制御工程は、各発光ブロックに対応する前記入力画像の明るさに応じた発光量で各発光ブロックの発光を制御し、
前記制御工程は、前記入力画像の前記非合焦領域に対応する発光ブロックを、前記目標輝度に対応する所定の発光量以下の発光量で発光するように制御することを特徴とする請求項９に記載の表示装置の制御方法。
【請求項１２】
前記目標輝度を設定する設定工程を備え、
前記設定工程は、前記入力画像の前記複数の領域のうち前記合焦領域までの距離が第１距離以下であり、かつ前記合焦領域でない領域の前記目標輝度を第１輝度と設定し、前記合焦領域までの距離が前記第１距離よりも大きい領域の前記目標輝度を前記第１輝度よりも高い第２輝度と設定することを特徴とする請求項９乃至請求項１１のいずれか１項に記載の表示装置の制御方法。
【請求項１３】
前記制御工程は、所定の指示を取得した場合に、前記非合焦領域が前記目標輝度以下で表示されるように前記表示手段を制御することを特徴とする請求項９乃至請求項１２のいずれか１項に記載の表示装置の制御方法。
【請求項１４】
前記表示装置は、前記入力画像を取得する前記撮像装置と接続可能であり、
前記制御工程は、前記撮像装置から取得した前記所定の指示に基づいて前記表示手段を制御することを特徴とする請求項１３に記載の表示装置の制御方法。
【請求項１５】
前記取得工程は、前記撮像装置から、前記撮像装置が合焦している特定の被写体を含む領域を示す位置情報を取得し、
前記特定工程は、前記位置情報と、前記距離情報と、前記焦点距離とに基づいて、前記入力画像のうち前記特定の被写体を含まない領域を非合焦領域と特定することを特徴とする請求項９乃至請求項１４のいずれか１項に記載の表示装置の制御方法。
【請求項１６】
入力画像に基づいて、画像を表示する表示手段を備える表示装置の制御方法であって、
前記入力画像と、前記入力画像のうち前記入力画像を取得した撮像装置が合焦している特定の被写体の位置を示す情報と、を取得する取得工程と、
前記位置情報に基づいて、前記入力画像のうち前記特定の被写体が含まれない非合焦領域を特定する特定工程と、
前記入力画像のうち前記合焦領域でない非合焦領域が、前記合焦領域の上限の表示輝度よりも低い目標輝度以下の表示輝度で表示されるように前記表示手段を制御する制御工程と、
を備える表示装置の制御方法。
【請求項１７】
請求項９乃至請求項１６のいずれか１項に記載の表示装置の制御方法の各工程を実行するための演算処理装置が実行可能なプログラム。
【請求項１８】
請求項１７に記載のプログラムを記憶し、前記プログラムを演算処理装置が読取可能な記憶媒体。
【発明の詳細な説明】
【技術分野】
【０００１】
本発明は、入力画像に基づいて画像を表示する表示装置およびその制御方法に関する。
【背景技術】
【０００２】
撮影現場等において、被写体を含む画像を撮影するカメラを液晶ディスプレイ等の表示装置に接続して、表示装置に表示した撮影中の画像によりカメラのフォーカスが特定の被写体に合っているか否かを、ユーザが確認することがある。
【０００３】
フォーカスの確認方法としては、ユーザがカメラのフォーカスをおおよそ特定の被写体に合わせた状態で、表示装置に表示される特定の被写体をユーザが注視することによって確認する方法がある。例えば、画像に輪郭強調処理を施して、輪郭強調処理を施して輪郭箇所をユーザが確認する方法がある。
【０００４】
特許文献１には、撮像装置から被写体までの距離と、撮像装置から被写体の周辺の周辺被写体までの距離との差分に応じた強度で、各被写体に対して輪郭強調処理を施す画像処理装置が開示されている。
【先行技術文献】
【特許文献】
【０００５】
【特許文献１】特開２０１１−１２４７１２号公報
【発明の概要】
【発明が解決しようとする課題】
【０００６】
しかしながら、上述した従来の技術では、焦点を合わせている被写体の周囲に明るい画像が表示される場合に、被写体の輪郭をユーザが視認し辛くなることがあった。
【０００７】
そこで、本発明は、上記課題に鑑みて、ユーザが焦点を合わせている被写体の輪郭を、ユーザが好適に確認することが可能な表示装置を提供することを目的とする。
【課題を解決するための手段】
【０００８】
上述した課題を解決するために、本発明に係る表示装置は、複数の領域を有する入力画像と、被写体と前記入力画像を取得した撮像装置との距離を前記入力画像の前記複数の領域ごとに示す距離情報と、前記撮像装置が合焦している被写体と前記撮像装置との距離を示す焦点距離と、を取得する取得手段と、前記距離情報と前記焦点距離とに基づいて、前記入力画像のうち前記被写体と前記撮像装置との距離が前記焦点距離から所定の範囲に含まれる合焦領域を特定する特定手段と、前記入力画像に基づいて、画像を表示する表示手段と、前記入力画像のうち前記合焦領域でない非合焦領域が、前記合焦領域の上限の表示輝度よりも低い目標輝度以下の表示輝度で表示されるように前記表示手段を制御する制御手段と、を備えることを特徴とする。
【発明の効果】
【０００９】
本発明に係る表示装置によれば、入力画像のうち、焦点距離近傍に位置する被写体が表示される合焦領域以外の非合焦領域が、合焦領域の表示輝度の最大値より低い目標輝度以下の表示輝度で表示されるように制御することが可能となる。
【００１０】
したがって、ユーザが焦点を合わせている被写体の輪郭を、ユーザが好適に確認することが可能となる。
【図面の簡単な説明】
【００１１】
【図１】撮像装置と接続した表示装置の装置構成図である。
【図２】撮像装置の装置構成図である。
【図３】撮像装置が出力する画像と、画像の各領域の奥行き距離を示す距離マップを示した模式図である。
【図４】表示装置の制御部が実行する各機能ブロックを示す第１のブロック図である。
【図５】表示装置の制御部が実行する液晶パネルの表示制御フローを示す第１のフローチャートである。
【図６】補正処理部が階調変換に用いるルックアップテーブルを示した模式図である。
【図７】表示画像に基づいて、液晶パネル１１に表示された画像を示す模式図である。
【図８】複数の補正領域に対して異なる目標輝度を設定して生成した表示画像を示す模式図である。
【図９】補正処理部が階調変換に用いるルックアップテーブルを示した模式図である。
【図１０】表示装置の制御部の機能ブロックを示した第２のブロック図である。
【図１１】表示装置の制御部のバックライト制御フローを示す第２のフローチャートである。
【図１２】発光量設定部が各発光ブロックの発光量を取得するために用いる特徴量と発光量とを関連付けた情報を示す模式図と、発光量設定部が入力画像に基づいて設定した発光量を示す模式図とである。
【図１３】発光量補正部が発光量を補正した後の、各発光ブロックの発光量を示す模式図である。
【図１４】伸長処理部における、処理前後の階調値の関係を示す模式図である。
【図１５】液晶パネルに表示される画像を示した模式図である。
【発明を実施するための形態】
【００１２】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の組合せを含む）が可能であり、それらを本発明の範囲から除外するものではない。即ち、各実施例及びその変形例を組み合わせた構成も全て本発明に含まれるものである。
【００１３】
（第１の実施例）
図１は、撮像装置２と接続した表示装置１の装置構成図である。表示装置１は、撮像装置２と接続可能であり、撮像装置２は、例えば、デジタルカメラであるとする。
【００１４】
撮像装置２は、表示装置１の制御部１００に接続し、ライブビュー映像を表示装置１の入力画像として出力する。撮像装置２は、入力画像の複数の領域それぞれに対して、各領域に含まれる被写体と撮像装置２との距離を示す距離情報を取得する。撮像装置２は、入力画像を取得した際の撮像装置２が焦点を合わせている（合焦している）被写体と撮像装置２との距離である合焦距離を示す焦点距離を取得する。撮像装置２は、距離情報と焦点距離と入力画像とを出力する。
【００１５】
撮像装置２について、図２と、図３とを用いて説明する。図２は、撮像装置２の装置構成図である。撮像装置２は、撮像光学系２０１０、撮像素子２０１１、制御部２０２０、画像処理部２０３０、記憶部２０４０、入力部２０５０、出力部２０６０を有している。
【００１６】
撮像光学系２０１０は、複数のレンズから構成され、入射する光を撮像素子２０１１の像面上に結像させる光学系である。撮像素子２０１１は、ＣＣＤやＣＭＯＳなどのイメージセンサを有する撮像素子である。カラーフィルタを有する撮像素子でもよいし、モノクロの撮像素子でもよいし、三板式の撮像素子でもよい。
【００１７】
制御部２０２０は、撮像装置２の各構成の動作を制御する演算処理装置である。制御部２０２０は、記憶部２０４０に保持されたプログラムやパラメータを読み出して実行することにより、各構成の動作を制御する。
【００１８】
画像処理部２０３０は、撮像素子２０１１から出力されるアナログ信号から、出力画像を生成する処理装置である。画像処理部２０３０の具体的な処理は後述する。
【００１９】
記憶部２０４０は、取得したデータを保持する記憶媒体である。記憶部２０４０は、ハードディスク等の不揮発性の記憶媒体であるとする。記憶部２０４０は、半導体メモリ等の揮発性の記憶媒体を、不揮発性の記憶媒体と併用するものであってもよい。
【００２０】
入力部２０５０は、撮像装置２に対してユーザ（撮影者）が指示を入力するための操作手段である。
【００２１】
出力部２０６０は、画像処理部２０３０が生成した出力用の画像データを表示装置１等の外部装置に出力する。
【００２２】
画像処理部２０３０は、信号処理部２０３１、距離マップ生成部２０３２、焦点情報取得部２０３３、出力処理部２０３４、およびメモリ２０３５を有する。メモリ２０３５は、各機能ブロックが用いるデータを一時的に記憶可能な記憶媒体である。
【００２３】
信号処理部２０３１は、撮像素子２０１１から出力されるアナログ信号に対して、ＡＤ変換、ノイズ除去、デモザイキング、輝度信号変換、収差補正、ホワイトバランス調整、色補正などの各種信号処理を施して、画像を生成する。信号処理部２０３１は、生成した画像をメモリ２０３５に蓄積する。
【００２４】
距離マップ生成部２０３２は、画像中の複数の領域それぞれに含まれる被写体と撮像装置２との距離である奥行き距離を推定し、距離マップを生成する。距離マップは、画像の各領域における被写体と撮像装置２との距離を示す距離情報である。例えば、距離マップ生成部２０３２は、ＤＦＤ法により画像と測距用に取得した焦点距離の異なる画像とのぼけの違いから、画像上の各点の奥行き距離を推定し、距離マップを生成するとする。
【００２５】
距離マップ生成部２０３２は、画像中の画素ごとに奥行き距離の推定を行うこともできるし、離散的もしくはエリア単位で奥行き距離の推定を行うことも可能である。距離マップの解像度は、要求精度、処理速度、データ容量などのバランスを考慮して適宜設計すればよい。本実施例では、距離マップ生成部２０３２は、画像に対して垂直方向に６つ、水平方向に８つのマトリクス状に配置された領域に対して奥行き距離を推定するとする。
【００２６】
なお、距離マップの生成には、ＤＦＤ法の他、視差のある２画像を用いて三角測量の原理で距離を推定するステレオ法や、超音波や赤外線などで直接物体までの距離を測定するＴＯＦ法なども利用できる。いずれの方法も公知であるため、ここでは詳しい説明を割愛する。距離マップ生成部２０３２は、距離マップをメモリ２０３５に格納する。
【００２７】
焦点情報取得部２０３３は、各画像の取得時の撮像光学系２０１０の焦点距離を示す焦点距離情報を取得し、メモリ２０３５に格納する。例えば、焦点距離は３．５ｍであるとする。
【００２８】
出力処理部２０３４は、メモリ２０３５から画像と、距離マップと、焦点距離を示す焦点距離情報とを読み出し、画像に距離マップと焦点距離情報とを付加した画像データを生成して出力する。例えば、出力処理部２０３４は、シリアルデジタルインタフェース（Ｓｅｒｉａｌ  Ｄｉｇｉｔａｌ  Ｉｎｔｅｒｆａｃｅ、ＳＤＩ）規格に準拠したデータ形式で画像データを出力するとする。この場合、出力処理部２０３４は、画像データのアンシラリ領域に距離マップと焦点距離情報とを付加するとする。
【００２９】
図３は、撮像装置２が出力する画像と、画像の各領域の奥行き距離を示す距離マップを示した模式図である。図３（ａ）は、撮像装置２が出力する画像２０を示す模式図である。例えば、画像２０は、人物２１と、木２２と、太陽２３とを含む画像であるとする。また、上述の被写体のいずれも表示されない領域は背景領域２４であるとする。図３の点線で区切られた領域は、距離マップ生成部２０３２が、奥行き距離の推定を行う領域を示す。
【００３０】
図３（ｂ）は、画像２０に対して、距離マップ生成部２０３２が取得した距離マップ３０を示した模式図である。距離マップ３０は、各領域に含まれる被写体の奥行き距離のうち、もっとも小さい距離を当該領域の奥行き距離として記憶するとする。例えば、人物２１を含む領域には、奥行き距離として３．４〜３．７ｍが記録されているとする。また、木２２のみを含む領域では、奥行き距離として５ｍが記録されているとする。それ以外の領域は、奥行き距離が長いため、形式的に２０ｍより大きい（＞２０）が指定されているとする。
【００３１】
撮像装置２は、出力部２０６０から、画像２０に距離マップ３０を付加した画像データを表示装置１に出力する。
【００３２】
表示装置１は、表示モジュール１０と、制御部１００と、記憶部２００とを備える。表示モジュール１０は、制御部１００によって駆動を制御され、画像を表示することが可能である。表示モジュール１０は、液晶パネル１１と、バックライト１２とを備える。なお、表示モジュール１０は、液晶パネル１１と、バックライト１２との間に、バックライト１２から照射された光が好適に液晶パネル１１に照射されるように、光を拡散する光学シート等の光学部材を備えていてもよい。また、表示モジュール１０は、液晶パネル１１と、バックライト１２とを固定するためのフレーム等の部材（非図示）を備える。
【００３３】
液晶パネル１１は、個別に光の透過率を制御可能な複数の液晶素子を備える表示パネルである。なお、液晶パネル１１は、Ｍｉｃｒｏ  Ｅｌｅｃｔｒｏ  Ｍｅｃｈａｎｉｃａｌ  Ｓｙｓｔｅｍｓ（ＭＥＭＳ）で形成され、光の透過率を制御可能な素子を複数有する透過型の表示パネルであってもよい。液晶パネル１１は、制御部１００により、各液晶素子の透過率を制御され、バックライト１２から照射された光を透過して、画像を表示する。
【００３４】
バックライト１２は、個別に発光量を制御可能な複数の発光ブロックを備え、液晶パネル１１に向けて光を照射する照明装置である。バックライト１２は、複数の発光ブロックがマトリックス状に配置される。制御部１００により、複数の発光ブロックの発光が個別に制御される。各発光ブロックは、１以上の光源を備える。
【００３５】
制御部１００は、距離情報と、焦点距離情報とが画像に付加された画像データを取得する。制御部１００は、画像の複数の領域のうち被写体との距離が焦点距離から所定の範囲に含まれる合焦領域を取得し、画像の複数の領域のうち、合焦領域でない非合焦領域が目標輝度以下の表示輝度で表示されるように表示モジュール１０を制御する。
【００３６】
制御部１００は、上述の処理を、ユーザの指示に応じて実行する。また、表示装置１と接続し、入力画像を出力する撮像装置２から動作モードを変更する指示が入力されたこと応じて、上述の処理を実行するものであってもよい。例えば、動作モードを変更する指示は、表示装置１の表示モードを、フォーカスを確認する表示モードに変更する指示を示す信号であるとする。
【００３７】
制御部１００は、入力画像に基づいて、表示モジュール１０を制御する制御回路である。例えば、制御部１００は、Ｃｅｎｔｒａｌ  Ｐｒｏｃｅｓｓｉｎｇ  Ｕｎｉｔ（ＣＰＵ）や、Ｍｉｃｒｏ  Ｐｒｏｃｅｓｓｉｎｇ  Ｕｎｉｔ（ＭＰＵ）の演算処理回路であるとする。この場合、制御部１００は、記憶部２００から読み取ったプログラムを実行することにより、後述する処理を実行する。なお、制御部１００は、後述する制御部１００が実行する処理の一部もしくは全てを実行可能な電子回路等のハードウェアを含むものであってもよい。
【００３８】
記憶部２００は、制御部１００が実行するプログラムを演算処理回路が読取可能な記憶媒体である。記憶部２００は、後述する処理を制御部１００が実行するために必要なプログラムや、パラメータを記憶する。例えば、記憶部２００は、ハードディスク等の不揮発性の記憶媒体である。なお、記憶部２００は、半導体メモリ等の揮発性のメモリを含む複数の記憶媒体からなるものであってもよい。なお、制御部１００と記憶部２００とは、同一の回路基板に設けられていてもよい。
【００３９】
図４は、制御部１００が実行する各機能ブロックを示すブロック図である。制御部１００は、入力処理部１０１、領域特定部１０２、補正領域特定部１０３、目標輝度設定部１０４、補正処理部１０５、輪郭強調部１０６、表示制御部１０７、バックライト制御部１０８、および動作モード決定部１０９を備える。
【００４０】
入力処理部１０１は、入力された画像データから、距離マップおよび焦点距離情報を取得する。また、入力処理部１０１は、入力された画像データから、画像を取得する。以降、入力処理部１０１が取得した画像を入力画像とする。入力処理部１０１は、取得した入力画像に対して、階調補正やガンマ変換等の予め定められた画像処理を施してもよい。入力処理部１０１は、入力画像を出力する。
【００４１】
領域特定部１０２は、入力画像のうち、被写体との距離が焦点距離から所定の範囲に含まれる合焦領域を特定する。例えば、領域特定部１０２は、入力画像の複数の領域に対して設定された奥行き距離と焦点距離との差が、所定の値以下である領域を合焦領域と特定する。合焦領域は、入力画像のうち撮像装置２が合焦している被写体が含まれる合焦領域である。また、領域特定部１０２は、入力画像のうち、合焦領域でない領域を非合焦領域として特定する。領域特定部１０２は、取得した合焦領域の位置を示す情報、および非合焦領域の位置を示す情報の少なくとも一方を出力する。本実施例では、領域特定部１０２は、取得した合焦領域の位置を示す情報を出力するとする。
【００４２】
補正領域特定部１０３は、入力画像と合焦領域の位置を示す情報とに基づいて、入力画像のうち、補正処理部１０５で目標輝度以下の輝度で表示されるように補正される領域を補正領域として特定する。例えば、補正領域特定部１０３は、入力画像の複数の領域のうち、合焦領域でない非合焦領域を補正領域と特定するとする。
【００４３】
なお、補正領域特定部１０３は、入力画像に基づいて表示モジュール１０に画像が表示された場合に、非合焦領域で目標輝度よりも高い輝度で表示される領域を補正領域と特定してもよい。例えば、表示装置１における画像の階調値と表示輝度との関係が予め設定されている場合、補正領域特定部１０３は、入力画像の合焦領域でない領域のうち、目標輝度に対応する階調値以上の階調値を含む領域を補正領域と特定することも可能である。
【００４４】
目標輝度設定部１０４は、ユーザの指示に応じて、非合焦領域が表示モジュール１０で表示される場合の上限輝度である目標輝度を設定する。目標輝度は、入力画像の合焦領域が表示される場合にとり得る表示輝度の最大値よりも低い輝度である。目標輝度設定部１０４は、表示装置１に設定された最大表示輝度の１／２を目標輝度とするとする。
【００４５】
補正処理部１０５は、入力画像の補正領域が、目標輝度以下の表示輝度で表示されるように、入力画像を補正して補正画像を生成する。補正処理部１０５の具体的な処理については、後述する。
【００４６】
輪郭強調部１０６は、補正画像の輪郭領域を取得し、入力画像の輪郭領域を強調する輪郭強調処理を施して、表示画像を生成する。輪郭強調部１０６が実行する強調処理は、例えば、表示画像の輪郭領域に所定の色で着色する処理であるとする。輪郭強調部１０６は、ユーザの指示に応じて輪郭強調処理を実行する。ユーザが輪郭強調処理を実行することを指示しない場合、輪郭強調部１０６は、補正画像に対して輪郭強調処理を実行しない。このとき、補正画像が表示画像となる。
【００４７】
表示制御部１０７は、表示画像に基づいて、液晶パネル１１の各液晶素子の透過率を制御する。例えば、表示制御部１０７は、各液晶素子の透過率を、ＰＷＭ制御によって制御するとする。表示制御部１０７は、表示画像の階調値と液晶パネル１１の各液晶素子の透過率との関係が線形になるように、液晶パネル１１を制御する。
【００４８】
バックライト制御部１０８は、表示装置１に設定された最大表示輝度に応じた発光量でバックライト１２から光が発せられるように、バックライト１２の発光を制御する。例えば、バックライト制御部１０８は、バックライト１２の各光源の発光をＰＷＭ制御によって制御するとする。
【００４９】
図５は、制御部１００が実行する液晶パネル１１の表示制御フローを示すフローチャートである。図５に示す表示制御フローは、表示装置１の駆動中に周期的に繰り返して実行される。例えば、表示制御フローは、入力画像のフレームレートの整数倍の周波数で実行されるとする。また、補正処理を実行するか否かは、表示装置１に設けられた非図示の操作部を介して入力されたユーザの指示に応じて決定されるとする。
【００５０】
表示制御フローが開始されると、Ｓ１０１で、入力処理部１０１は、入力された画像データから入力画像２０を取得する処理を実行する。例えば、入力画像２０は、図３（ａ）に示した画像であるとする。入力画像２０は、マトリックス状に配置された複数の画素に対して、それぞれ８ｂｉｔで階調値が指定されるとする。例えば、人物２１や木２２に含まれる階調値は、最大で１６０であり、太陽２３が表示される領域に含まれる階調値は、２００以上であるとする。また、背景２４に含まれる階調値は、最大で６０であるとする。処理は、Ｓ１０２に進む。
【００５１】
Ｓ１０２で、入力処理部１０１は、入力された画像データから距離マップと焦点距離情報とを取得する処理を実行する。例えば、入力処理部１０１は、図３（ｂ）に示す距離マップ３０を取得するとする。さらに、入力処理部１０１は、焦点距離として３．５ｍを示す焦点距離情報を取得するとする。処理は、Ｓ１０３に進む。
【００５２】
Ｓ１０３で、領域特定部１０２は、入力画像２０の合焦領域を特定する処理を実行する。領域特定部１０２は、距離マップ３０に示された奥行き距離と焦点距離との差が所定の値以下である領域を、合焦領域と特定する。言い換えると、領域特定部１０２は、焦点距離近傍の被写体を含む領域を合焦領域と特定するとも言える。
【００５３】
例えば、所定の値は、１ｍであるとする。所定の値は、撮像装置２の焦点距離の制御範囲や、ユーザの好みに応じて任意に設定することが可能である。領域特定部１０２は、図３（ｂ）に示した距離マップ３０の各領域のうち、領域Ｂ３〜Ｂ５、Ｃ３〜Ｃ５、Ｄ３〜Ｄ５、Ｅ３〜Ｅ５、およびＦ３〜Ｆ５を合焦領域と特定する。処理は、Ｓ１０４に進む。
【００５４】
Ｓ１０４で、補正領域特定部１０３は、入力画像２０のうち、補正処理部１０５で目標輝度以下の輝度で表示されるように補正される補正領域を特定する処理を実行する。例えば、補正領域特定部１０３は、入力画像２０の領域のうち、合焦領域でない非合焦領域を補正領域とするとする。例えば、補正領域特定部１０３は、領域Ａ１〜Ａ８、Ｂ１、Ｂ２、Ｂ６〜Ｂ８、Ｃ１、Ｃ２、Ｃ６〜Ｃ８、Ｄ１、Ｄ２、Ｄ６〜Ｄ８、Ｅ１、Ｅ２、Ｅ６〜Ｅ８、Ｆ１、Ｆ２、およびＦ６〜Ｆ８を補正領域と特定するとする。処理は、Ｓ１０５に進む。
【００５５】
Ｓ１０５で、補正処理部１０５は、入力画像２０の補正領域が、目標輝度以下で表示されるように、入力画像２０を補正して補正画像を生成する。例えば、目標輝度は、表示装置１に設定された表示輝度の最大値の１／２であるとする。表示輝度の最大値は、画像の階調値の最大値に対応する。画像の階調値に対し、表示輝度が線形に対応付けられた表示特性を、表示装置１が有する場合、表示輝度の最大値の１／２である目標輝度に対応する目標階調値は、画像の取りうる階調値の最大値の１／２である。画像の階調値が８ビットで表現されている場合、目標階調値は１２７である。なお、表示装置１の表示特性は、画像の階調値に対し表示輝度が対数等で表される所定の関数で関連付けられていてもよい。
【００５６】
補正処理部１０５は、入力画像２０の補正領域の階調値を目標階調値以下に変換する。図６は、補正処理部１０５が階調変換に用いるルックアップテーブルを示した模式図である。横軸は、入力画像２０の階調値を示している。縦軸は、補正画像の階調値を示している。
【００５７】
補正処理部１０５は、図６（ａ）のルックアップテーブルを用いて、入力画像２０の階調変換を行う。図６（ａ）の実線は、補正領域の階調変換を示す。補正処理部１０５は、補正領域の階調値を半分になるように変換する。なお、図６（ａ）の１点鎖線は、合焦領域の階調変換を比較のために示している。合焦領域は、実質的には階調値が変わらない。なお、補正処理部１０５は、図６（ｂ）に示すように、目標階調値より大きい階調値を目標階調値に変換する処理（クリップ処理）を、入力画像２０の補正領域に対して実行してもよい。処理は、Ｓ１０６に進む。
【００５８】
Ｓ１０６で、輪郭強調部１０６は、ユーザの指示に応じて、補正画像の輪郭領域を強調する処理を実行する。輪郭強調部１０６は、補正画像に輪郭強調処理を施した表示画像４０を生成して出力する。具体的には、輪郭強調部１０６は、補正画像の輪郭領域を検出し、補正画像の輪郭領域が所定の色で表示されるように着色する。なお、輪郭強調部１０６は、入力画像２０の輪郭領域を検出して、検出した入力画像２０の輪郭領域に対応する補正画像の領域に対して強調処理を施してもよい。輪郭強調処理を施すことにより、ユーザがより被写体のフォーカスを確認しやすくなる。輪郭強調部１０６は、輪郭強調処理を施した表示画像を出力する。処理は、Ｓ１０７に進む。
【００５９】
Ｓ１０７で、表示制御部１０７は、補正画像に基づいて、液晶パネル１１の各液晶素子の透過率を制御する。なお、表示制御部１０７は、輪郭強調処理が施された補正画像が生成されている場合は、輪郭強調処理が施された補正画像に基づいて液晶パネル１１を制御し、そうでない場合は、補正画像に基づいて液晶パネル１１を制御する。以上で、表示制御フローが終了する。
【００６０】
制御部１００は、上述の表示制御フローを、表示装置１の駆動中に繰り返し実行する。例えば、制御部１００は、入力画像２０のフレームの同期信号の整数倍の周波数で、表示制御フローを周期的に実行するとする。
【００６１】
図７は、表示画像４０に基づいて、液晶パネル１１に表示された画像を示す模式図である。補正処理部１０５によって、補正領域４２の階調値が入力画像２０の半分に変換された結果、補正領域４２に対応する画像は、入力画像２０に対して暗く表示される。一方で、合焦領域４１に対応する画像は、入力画像２０の明るさを保って表示される。表示画像４０のうち、合焦領域４１は、入力画像２０と同等の明るさで表示される。また、補正領域４２は表示装置１に設定された表示輝度の最大値の半分を上限とした表示輝度で表示される。したがって、入力画像２０の補正領域４２に太陽２３のように明るい画像が含まれている場合でも、ユーザは撮像装置２で焦点を合わせている被写体（人物２１）のフォーカスを確認しやすくなる。
【００６２】
本実施例に記載の表示装置によれば、入力画像の奥行き距離が焦点距離の近傍である合焦領域でない非合焦領域の輝度を、設定した上限輝度以下で表示することが可能となる。したがって、ユーザが焦点を合わせている被写体のフォーカスを好適に確認することが可能となる。
【００６３】
なお、補正領域と目標輝度とは、それぞれ複数指定することも可能である。制御部１００は、合焦領域からの画像上の距離（平面的な距離）に応じて、異なる目標輝度を設定し、表示画像を生成してもよい。具体的には、合焦領域からの距離が所定の距離以下である非合焦領域に設定される目標輝度よりも、合焦領域からの距離が所定の距離よりも長い非合焦領域に設定される目標輝度が高くなるように、目標輝度を設定する。
【００６４】
図８は、複数の補正領域に対して異なる目標輝度を設定して生成した表示画像を示す模式図である。合焦領域４１は、上述の実施例と同様に特定されたとする。補正領域特定部１０３は、合焦領域４１との距離に応じて、近傍補正領域４２Ａと、遠隔補正領域４２Ｂとを特定する。例えば、補正領域特定部１０３は、合焦領域４１に隣接する領域を近傍補正領域４２Ａと特定し、合焦領域４１に隣接しない領域を遠隔補正領域４２Ｂと特定するとする。
【００６５】
目標輝度設定部１０４は、近傍補正領域４２Ａと、遠隔補正領域４２Ｂとに対してそれぞれ目標輝度を設定する。例えば、目標輝度設定部１０４は、近傍補正領域４２Ａに対応する目標輝度として、表示装置１の表示輝度の最大値の１／２を設定し、遠隔補正領域４２Ｂに対応する目標輝度として、表示装置１の表示輝度の最大値の３／４を設定するとする。
【００６６】
補正処理部１０５は、各補正領域に対して設定された目標輝度以下で、各補正領域が表示されるように、入力画像２０を変換する。図９は、本実施例の変形例において、補正処理部１０５が階調変換に用いるルックアップテーブルを示した模式図である。図９の実線は、近傍補正領域４２Ａの階調変換を示す。補正処理部１０５は、近傍補正領域４２Ａの目標輝度に対応する目標階調値以下になるように、階調変換処理を実行する。例えば、近傍補正領域４２Ａの目標輝度が表示装置１の表示輝度の最大値の１／２である場合に、目標階調値は１２７であるとする。
【００６７】
図９の点線は、遠隔補正領域４２Ｂの階調変換を示す。補正処理部１０５は、遠隔補正領域４２Ｂの目標輝度に対応する目標階調値以下になるように、階調変換処理を実行する。例えば、遠隔補正領域４２Ｂの目標輝度が表示装置１の表示輝度の最大値の３／４である場合に、目標階調値は１９１であるとする。
【００６８】
合焦領域からの画像上の距離が遠いほど、高い目標輝度を設定して表示画像を生成することにより、合焦領域のフォーカスを確認しやすくなるとともに、フォーカスの確認に影響のない非合焦領域を、元の画像に近い明るさで表示することが可能となる。
【００６９】
したがって、入力画像の奥行き距離が焦点距離の近傍である合焦領域でない非合焦領域の輝度を、所定の輝度以下で表示することにより、ユーザが焦点を合わせている被写体のフォーカスを好適に確認することが可能となる。さらに、画像全体の明るさの変化を抑制しながら、被写体のフォーカスをユーザが確認することが容易となる。
【００７０】
なお、表示装置１の制御部１００は、撮像装置２から、撮像装置２が合焦している特定の被写体を含む領域を特定する位置情報を取得し、当該位置情報に基づいて合焦領域を特定することも可能である。例えば、入力画像に撮像装置２との距離が焦点距離から所定の範囲に含まれる被写体が複数存在する場合、領域特定部１０２は、位置情報から特定される領域に含まれる被写体を、撮像装置２が合焦している被写体であると特定するとする。そして、領域特定部１０２は、その被写体が含まれる領域を合焦領域と特定する。
【００７１】
また、領域特定部１０２は、取得した位置情報のみに基づいて特定の被写体を含む領域を、合焦領域と特定してもよい。例えば、図３（ａ）の入力画像２０において、撮像装置２が合焦している被写体が人物２１である場合、撮像装置２が領域Ｃ４を示す位置情報を画像データに付加して出力するとする。この場合、領域特定部１０２は、取得した位置情報に基づいて、領域Ｃ４が合焦領域であると特定する。さらに領域特定部１０２は、領域Ｃ４に含まれる被写体（人物２１）が含まれる他の領域についても、同様に合焦領域であると特定する。
【００７２】
上述のような処理により、入力画像に合焦している被写体が複数ある場合に、ユーザが合焦を意図していない被写体を含む領域を、非合焦領域とすることで、ユーザは、合焦を意図した被写体に対してフォーカスを容易に確認することが可能となる。
【００７３】
（第２の実施例）
第２の実施例における表示装置１のバックライト１２は、対応する入力画像の明るさに応じた発光量でそれぞれ個別に発光を制御可能な複数の発光ブロックを備えるバックライトである。表示装置１は、入力画像の非合焦領域に対応する発光ブロックのうち、入力画像に基づき設定された発光量が所定の発光量よりも大きい発光ブロックの発光を、所定の発光量以下の発光量で点灯するように制御する。
【００７４】
第２の実施例における表示装置１と撮像装置２の装置構成は、第１の実施例と同様であることから説明を省略する。図１０は、第２の実施例における制御部１００の機能ブロックを示したブロック図である。制御部１００は、入力処理部１０１、領域特定部１０２、目標輝度設定部１０４、輪郭強調部１０６、表示制御部１０７、およびバックライト制御部１０８を備える。さらに制御部１００は、発光量設定部１１０１、補正ブロック決定部１１０２、発光量補正部１１０３および伸長処理部１１０４を備える。第１の実施例の表示装置１と同名の機能ブロックが発揮する機能は、第１の実施例と同様であるため、詳細な説明を省略する。
【００７５】
発光量設定部１１０１は、入力画像に基づいて、複数の発光ブロックそれぞれの発光量を設定する。発光量設定部１１０１は、各発光ブロックに対応する液晶パネル１１の領域に表示される入力画像２０の明るさを示す特徴量に応じて、対応する発光ブロックの発光量を決定する。例えば、入力画像２０の明るさを示す特徴量は、入力画像の階調値の最大値であるとする。発光量設定部１１０１は、ある発光ブロックに対応する入力画像の明るさを示す特徴量が小さいほど、当該発光ブロックの発光量を基準の発光量よりも小さい発光量に設定する。
【００７６】
入力画像２０の明るさを示す特徴量は、入力画像２０に基づいて表示装置１に画像が表示された場合の表示輝度に関連する。例えば、入力画像２０の階調値が表示装置１における表示輝度と線形の関係であるとする。この場合、ある発光ブロックに対応する入力画像２０の明るさを示す特徴量は、入力画像２０を表示した場合に当該発光ブロックに対応する液晶パネル１１の領域に表示される輝度に対応すると言える。したがって、ある発光ブロックに対応する入力画像２０の明るさを示す特徴量に応じて設定された発光量は、入力画像２０を表示した場合に当該発光ブロックに対応する液晶パネル１１の領域に表示される輝度に対応するとも言える。発光量設定部１１０１は、各発光ブロックに対して設定した発光量を出力する。
【００７７】
補正ブロック決定部１１０２は、特定した入力画像の合焦領域に基づいて、バックライト１２が備える複数の発光ブロックのうち、発光量補正部１１０３が発光量を低減する処理を実行する発光ブロック（補正ブロック）を決定する。
【００７８】
具体的には、補正ブロック決定部１１０２は、バックライト１２の複数の発光ブロックのうち、入力画像の合焦領域に対応する発光ブロック（対象ブロック）と、入力画像の非合焦領域に対応する発光ブロック（周辺ブロック）とを特定する。さらに補正ブロック決定部１１０２は、周辺ブロックのうち、発光量設定部１１０１が設定した発光量が所定の発光量よりも大きい発光ブロックを、補正ブロックと決定する。なお、所定の発光量は、目標輝度に基づいて決定される。例えば、表示装置１に設定された表示輝度の最大値に対して、目標輝度は３／４であるとする。
【００７９】
発光量設定部１１０１が設定した発光量は、入力画像２０を表示した場合に各発光ブロックに対応する液晶パネル１１の領域に表示される輝度に対応する。したがって、補正ブロック決定部１１０２は、周辺ブロックのうち、入力画像２０を表示した場合に各発光ブロックに対応する液晶パネル１１の領域に表示される輝度が目標輝度よりも大きい発光ブロックを補正ブロックと決定するとも言える。補正ブロック決定部１１０２は、複数の発光ブロックのうち、どの発光ブロックが補正ブロックであるかを示す情報を出力する。
【００８０】
発光量補正部１１０３は、発光量設定部１１０１が設定した各発光ブロックの発光量のうち、補正ブロックの発光量を低減する補正処理を実行する。つまり、発光量補正部１１０３は、入力画像２０を表示した場合に各発光ブロックに対応する液晶パネル１１の領域に表示される輝度が目標輝度よりも大きい補正ブロックの発光量を低減して、当該領域の輝度を目標輝度以下とする。
【００８１】
発光量補正部１１０３は、補正した補正ブロックの発光量を含む、複数の発光ブロックの発光量を出力する。バックライト制御部１０８は、発光量補正部１１０３から出力された各発光ブロックの発光量で、各発光ブロックが発光するように、各発光ブロックを制御する。
【００８２】
伸長処理部１１０４は、入力画像を、発光量設定部１１０１が各発光ブロックに設定した発光量に基づいて補正した伸長処理画像を生成して出力する。具体的には、伸長処理部１１０４は、発光量設定部１１０１が各発光ブロックに設定した発光量と基準の発光量との差分に応じて、当該発光ブロックに対応する入力画像の階調値にゲイン処理を施す。伸長処理部１１０４は、伸長処理画像を出力する。
【００８３】
図１１は、第２の実施例における制御部１００のバックライト制御フローを示すフローチャートである。制御部１００は、バックライト制御フローを表示装置１が駆動している間、周期的に繰り返し実行するとする。制御部１００は、例えば、入力画像のフレームレートの整数倍の周波数で、バックライト制御フローを実行するとする。Ｓ１０１からＳ１０３、Ｓ１０６およびＳ１０７の各処理は、第１の実施例と同様であることから詳細の説明を省略する。
【００８４】
Ｓ２０１で、発光量設定部１１０１は、入力画像に基づいて、複数の発光ブロックそれぞれの発光量を設定する処理を実行する。発光量設定部１１０１は、各発光ブロックに対応する入力画像２０の明るさを示す特徴量に基づいて、各発光ブロックの発光量を設定する。例えば、各光源に対応する入力画像２０の明るさを示す特徴量は、各発光ブロックに対応する入力画像２０の領域に含まれる画素の階調値の最大値であるとする。
【００８５】
図１２（ａ）は、発光量設定部１１０１が各発光ブロックの発光量を取得するために用いる、特徴量と発光量とを関連付けた情報を示す模式図である。発光量設定部１１０１は、記憶部２００から特徴量と発光量とを関連付けた情報を取得する。例えば、特徴量と発光量とを関連付けた情報は、図１２（ａ）に示すように、特徴量に対してステップ状に発光量が関連付けられているとする。なお、特徴量と発光量とを関連付けた情報は、特徴量に対して発光量が線形になるように関連付けられていてもよいし、任意の関数で関連付けられていてもよい。
【００８６】
ここで、発光量１００％は、各光源の基準となる発光量である。例えば、基準となる発光量は、表示装置１に設定された最大の表示輝度に応じて決定される。最大の表示輝度が１０００ｃｄ／ｍ２であり、液晶パネル１１の液晶素子を最大階調値に基づいて制御した場合の透過率が５０％である場合、基準となる発光量は２０００ｃｄ／ｍ２である。
【００８７】
図１２（ｂ）は、バックライト１２の各発光ブロックに対して、発光量設定部１１０１が入力画像２０に基づいて設定した発光量を示す模式図である。例えば、バックライト１２は、水平方向に８つ、垂直方向に６つのマトリックス状に配置された複数の発光ブロックからなるとする。バックライト１２の各発光ブロックは、入力画像２０の奥行き距離を取得した領域と対応しているとする。以降、複数の発光ブロックのうち特定の発光ブロックについて指示する場合は、垂直方向と水平方向の位置に応じた添え字を付す。例えば、図１２（ｂ）において、もっとも右上の領域に対応する発光ブロックは、発光ブロックＪ１と示す。
【００８８】
例えば、入力画像２０は、図３（ａ）に示した画像であり、人物２１や木２２に含まれる階調値は、１３０〜１６０であり、太陽２３が表示される領域に含まれる階調値は、２００以上であるとする。また、背景２４に含まれる階調値は、最大で６０であるとする。各発光ブロックに対応する入力画像２０の特徴量（最大階調値）に基づいて、各発光ブロックの発光量は、図１２（ｂ）のように設定される。
【００８９】
例えば、発光量設定部１１０１は、入力画像２０の太陽２３が表示される領域に対応する発光ブロックＡ６〜８、Ｂ６〜８、およびＣ６〜８に発光量１００％を設定する。また、発光量設定部１１０１は、入力画像２０の人物２１および木２２の少なくとも一方が表示される領域に対応する発光ブロック（発光ブロックＡ２、Ｂ１〜Ｂ５、Ｃ１〜Ｃ５、Ｄ１〜Ｄ５、Ｅ２〜５、およびＦ３〜５）に発光量７５％を設定する。さらに、発光量設定部１１０１は、入力画像２０の背景２４に対応する上記以外の発光ブロックに２５％を設定する。処理は、Ｓ２０２に進む。
【００９０】
Ｓ２０２で、補正ブロック決定部１１０２は、バックライト１２が備える複数の発光ブロックのうち、発光量補正部１１０３が発光量を低減する処理を実行する発光ブロック（補正ブロック）を決定する処理を実行する。補正ブロック決定部１１０２は、入力画像２０に基づいて液晶パネル１１に画像が表示された場合に、合焦領域に対応する発光ブロックを、対象発光ブロックとする。例えば、図１２（ｂ）において、対象ブロックは、領域５１に含まれる発光ブロックＢ３〜Ｂ５、Ｃ３〜Ｃ５、Ｄ３〜Ｄ５、Ｅ３〜Ｅ５、およびＦ３〜Ｆ５であるとする。
【００９１】
そして、補正ブロック決定部１１０２は、非合焦領域に対応する発光ブロックである周辺ブロックのうち、発光量設定部１１０１が設定した発光量が所定の発光量より大きい発光ブロックを補正ブロックと決定する。発光量設定部１１０１は、各発光ブロックに対応する入力画像２０の明るさに応じて決定されることから、補正ブロックは、対応する領域に所定の明るさ以上の明るさの画像が表示される発光ブロックであるといえる。
【００９２】
例えば、所定の発光量は、７５％であるとする。この場合、補正ブロック決定部１１０２は、図１２（ｂ）のうち、領域５２で示した発光ブロックＡ６〜Ａ８、Ｂ６〜Ｂ８、およびＣ６〜Ｃ８を補正ブロックと決定する。補正ブロック決定部１１０２は、補正ブロックの位置を示す情報を出力する。処理はＳ２０３に進む。
【００９３】
Ｓ２０３で、発光量補正部１１０３は、発光量設定部１１０１が設定した各発光ブロックの発光量のうち、補正ブロックの発光量を低減する処理を施す。具体的には、発光量補正部１１０３は、補正ブロックの発光量が、所定の発光量以下になるように補正ブロックの発光量を補正する。図１３は、発光量補正部１１０３が発光量を補正した後の、各発光ブロックの発光量を示す模式図である。例えば、所定の発光量が７５％であるとすると、図１４に示すように補正ブロック決定部１１０２で補正ブロックと決定された発光ブロックＡ６〜Ａ８、Ｂ６〜Ｂ８、およびＣ６〜Ｃ８の発光量は、７５％に補正される。発光量補正部１１０３は、補正ブロックの発光量を補正した各発光ブロックの発光量を出力する。処理は、Ｓ２０４に進む。
【００９４】
Ｓ２０４で、バックライト制御部１０８は、発光量補正部１１０３から出力された各発光ブロックの発光量で、各発光ブロックが光を発するように、各発光ブロックの発光を制御する。
【００９５】
Ｓ２０５で、伸長処理部１１０４は、入力画像２０に対して発光量設定部１１０１が設定した各発光ブロックの発光量に基づいて伸長補正を施す処理を実行する。具体的には、入力画像２０において同一の階調値を有する複数の画素が、それぞれ対応する発光ブロックに設定された発光量が異なっても、同程度の輝度で表示されるように階調値を補正する。例えば、伸長処理部１１０４は、基準の発光量である発光量１００％に対して、各発光ブロックに設定された発光量の比の逆数を、対応する入力画像２０の階調値に乗算するとする。
【００９６】
図１４は、伸長処理部１１０４における、処理前後の階調値の関係を示す模式図である。発光量１００％の発光ブロックに対応する入力画像２０の領域では、図１４の実線で示すように補正前後で、階調値は変化しない。また、発光量５０％の光源に対応する入力画像２０の領域では、図１４の二点破線で示すように、補正前後で階調値は略２倍（＝１／（５０／１００））に変換される。伸長処理部１１０４は、入力画像２０に伸長処理を施した伸長処理画像を出力する。処理は、Ｓ１０６に進む。
【００９７】
Ｓ１０６で、輪郭強調部１０６は、ユーザの指示に応じて、入力画像の輪郭領域に対応する伸長処理画像の輪郭領域を強調する処理を施して表示画像を生成する。さらに、Ｓ１０７で表示制御部１０７は、表示画像に基づいて、液晶パネル１１の各液晶素子を制御する。
【００９８】
上述の処理を実行することにより、一連の表示制御フローが終了する。
【００９９】
図１５は、第２の実施例において、液晶パネル１１に表示される画像６０を示した模式図である。本実施例に記載の表示装置１によれば、例えば、入力画像２０に基づいて画像を表示した場合、太陽２３が表示される領域６２に対応する発光ブロックの発光量が、入力画像２０に基づいて決定された発光量よりも低減される。したがって、表示される画像６０のうち、領域６２は、目標輝度以下の輝度で表示される表示される。
【０１００】
したがって、入力画像の奥行き距離が焦点距離の近傍である合焦領域でない非合焦領域の輝度が目標輝度以下で表示され、ユーザが焦点を合わせている被写体のフォーカスを好適に確認することが可能となる。
【０１０１】
（他の実施形態）
上述の実施例は、撮像装置２から表示装置１に入力された距離マップ情報と、焦点距離情報とを付加された入力画像に基づいて、画像を変換する処理について説明したが、表示装置１の取得する入力画像のソースはこれに限らない。例えば、ネットワーク上のデータベースや、記憶媒体を有し画像を出力可能なレコーダーや、内部にハードディスク等を備えたパーソナルコンピュータシステム等の、種々の画像出力装置であっても、本発明を適用可能である。また、表示装置１の記憶部２００から、入力画像を取得してもよい。
【０１０２】
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読出して実行する処理である。この場合、そのプログラム、及び該プログラムを記憶した記録媒体は本発明を構成することになる。
【符号の説明】
【０１０３】
１  表示装置
１０  表示モジュール
１００  制御部
１０２  領域特定部
１０３  補正領域特定部
１０６  補正処理部
【図１】
2018011152.tif 000003
【図２】
2018011152.tif 000004
【図３】
2018011152.tif 000005
【図４】
2018011152.tif 000006
【図５】
2018011152.tif 000007
【図６】
2018011152.tif 000008
【図７】
2018011152.tif 000009
【図８】
2018011152.tif 000010
【図９】
2018011152.tif 000011
【図１０】
2018011152.tif 000012
【図１１】
2018011152.tif 000013
【図１２】
2018011152.tif 000014
【図１３】
2018011152.tif 000015
【図１４】
2018011152.tif 000016
【図１５】
2018011152.tif 000017